(57)【要約】  本発明は狭い室内空間用ラケット競技セットに関し、ベースの直径は１６〜２３ｍｍ、ベースの垂直長さは１４〜２１ｍｍ、ベースの下部終端から羽毛の上部終端までの垂直長さは５０〜８０ｍｍ、羽毛の終端直径は４０〜６０ｍｍであり、羽毛は１０〜１４枚を用い、重量は１．５〜３ｇであるシャトルコックと；全体長さは４３０〜４７０ｍｍ、全体幅は１５０〜１８５ｍｍ、ストリング部分の長さは２２０〜２２５ｍｍの規格を有するラケット；ネット；コートを含むラケット競技セットを提供して、飛行距離及び高さを減少させて狭い空間でも競技ができるようにし、軽くて老弱者及び子供も容易に利用しながらも、関節などに無理を与えないようにし、ステップ中心の運動で運動量が増え、シャトルコックの飛行距離が短くなるのでシャトルコックが往復して興を添え、簡単にできて国民スポーツとして普及するのに適切する。
2012533394.tif 000002
【特許請求の範囲】
【請求項１】
室内床面に一定に区画されたコート（４００）が備えられ、コートを分割区画するようにポスト（３１０）で支持されるネット（３００）が設置され、ネットを境界にしてラケット（１００）とシャトルコック（２００）を使ってラケット競技を行うラケット競技セットにおいて、
前記シャトルコック（２００）は、ベース（２１０）の直径は１６〜２３ｍｍ、ベース（２１０）の垂直長さは１４〜２１ｍｍ、ベース（２１０）の下部終端から羽毛（２２０）の上部終端までの垂直長さは５０〜８０ｍｍ、羽毛（２２０）の終端直径は４０〜６０ｍｍで、羽毛（２２０）は１０〜１４枚を用い、重量は１．５〜３ｇで、前記ラケット（１００）は全体長さ４３０〜４７０ｍｍ、全体幅１５０〜１８５ｍｍ、ストリング部分の長さ２００〜２２５ｍｍの規格を有し、前記コート（４００）は両側バックバウンダリーライン（４１０）の長さ５００〜１，０００ｃｍ、両側サイドライン（４２０）の幅２５０〜５００ｃｍ、サーブライン（４３０）は中心から１００〜１４０ｃｍで、前記ネット（３００）は幅はコート（４００）の幅と同じで、高さは１２０〜１５０ｃｍであり、前記ポスト（３１０）は床に固定設置されるか、下部に重量体（３１６）を備えて移動可能であることを特徴とする狭い室内空間用ラケット競技セット。
【請求項２】
シャトルコック（２００）の重量は羽毛（２２０）の寸法とベース（２１０）の寸法の中で一つ以上を選択して前記範囲内で調整することを特徴とする請求項１に記載の狭い室内空間用ラケット競技セット。
【請求項３】
シャトルコック（２００）のベース（２１０）は天然コルクと人造コルクを合紙するか、空隙率の異なる人造コルクを合紙し、空隙率は所望シャトルコック（２００）の重量によって選択して使用し、コルクの外周に外皮をカバーしたことを特徴とする請求項１に記載の狭い室内空間用ラケット競技セット。
【請求項４】
前記ポスト（３１０）は長さ調節可能であることを特徴とする請求項１に記載の狭い室内空間用ラケット競技セット。
【請求項５】
前記ラケット（１００）はそのまま使用し、コート（４００）とネット（３００）は室内空間に合うように最小と最大寸法の範囲内で全体幅と長さ及び高さを比例的に調整して設定し、シャトルコック（２００）は使用するコート（４００）の規格によって使おうとする重量を設定することを特徴とする請求項１〜請求項４の中の何れか一項に記載の狭い室内空間用ラケット競技セット。
【請求項６】
前記コート（４００）は両側バックバウンダリーライン（４１０）の長さは８６０ｃｍ、全体幅は４３０ｃｍで、ネット（３００）は、幅はコート（４００）の幅と同じで、高さは１４４ｃｍであることを特徴とする請求項１〜請求項４の中の何れか一項に記載の狭い室内空間用ラケット競技セット。
【発明の詳細な説明】
【技術分野】
【０００１】
本発明は狭い室内空間でラケットを利用した運動が可能なラケット競技セット及びその競技方法に関する。
【背景技術】
【０００２】
一般に、ラケットを使う競技としてはテニス、バドミントン、スカッシュ、スピードミントンなどがあり、このようなラケットを使う競技は、ラケットとボール、コートを必須構成とし、ネットは競技によって選択的に使用する。スカッシュはネットを使用しないで、他の競技ではネットを使用し、これら用品が競技のための一つのセットを構成しており、各競技種目別でラケットの大きさや重量、ボールなどの競技用品に所定の規格がある。
【０００３】
その中で、以下ではバドミントン競技セットを構成する用品をより具体的に説明する。
【０００４】
まず、ラケットは、図１に示すように、グリップ２、ストリング（ｓｔｒｉｎｇ）部４、前記ストリング部４が設置されたヘッド６、シャトルコックを打撃する時の衝撃力は減少しながら弾性力は加えるために中空に形成されたシャフト８、スロート９で構成され、２００〜２５０ｍｍ範囲のグリップ２部分を含んで、全体長さが６８０ｍｍ、全体幅は２３０ｍｍを超えてはいけなく、ストリング部４は全体長さ２８０ｍｍ、広さ２２０ｍｍ以内でなければならなく、シャフトの直径は７〜８．５ｍｍで、断面厚さは１．５〜２．５ｍｍである。
【０００５】
シャトルコックは、図２に示すように、鳥の羽毛２０を半球状のコルクで形成されたベース１０に埋め込んだもので、重量は４．５〜５．５ｇで、コルクの直径は２．５〜２．８ｃｍで、羽毛の枚数は１６枚、羽毛の先端からベースの上部面までの長さは６．４〜７．０ｃｍで、羽毛の先端直径は５８〜６８ｍｍ、ベース１０の上部面と羽毛２０の外周面は６５°〜７５°の角度を有し、最高速度は３２０ｋｍ／ｈで、競技者がコートのサービスラインでアンダーハンドで打って反対側のバックバウンダリーライン内側の５３〜９９ｃｍの間に落下させなければならない。
【０００６】
また、図３に示すように、コートは前記ラケットとシャトルコックを使う時のシャトルコックの飛行距離を考慮して長さ１３．４ｍ、幅６．１ｍに形成され、ネットは１５５ｃｍの高さを有するように構成される。
【０００７】
しかし、このようなバドミントンは、シャトルコックがテニスボールなどに比べて相対的に軽く、羽毛が所定の角度に広がっていて風の影響をたくさん受けるため、室外では弱い風にもシャトルコックが所望の方向と距離に飛行することができなくて、公式競技の場合、風などが全て遮られた室内競技場でしなければならなく、この場合シャトルコックの飛行距離と飛行高さを確保するために天井の高さは最小９ｍ以上を確保するようにしている。
【０００８】
このように、従来のバドミントン競技は、一般的な建物の室内空間が確保しにくい９ｍ以上の天井の高さと面積を有する空間が必要となるので、競技空間の確保が非常に困難で、大衆的な普及及び拡散に問題があった。
【０００９】
また、従来のラケットは長さが長くて専門選手ではない一般人はストリング部に正確にシャトルコックを当てにくく、このようにシャトルコックを正確に打つことができないためラケットにシャトルコックを当てることにだけ神経が集中されて、手動作及びステップを含む姿勢が崩れて、運動した後、関節などの体に無理を発生する問題点があり、その例としてテニスエルボーが発生される問題点があった。
【００１０】
前記テニスエルボーは、ボールまたはシャトルコックがラケットに当たった時発生する振動が腕に刺激を与えることで発生され、あまりにも重いラケットを使用したり、グリップサイズが合わない場合、また、ストリング（ラケットのフレームに横及び縦に張る紐）の強度が適当でなくても発生することができる。
【００１１】
一方、前記バドミントンが風の抵抗をたくさん受ける問題点を解決するために、バドミントンとテニスを接木したスピードミントンが普及されている。これはベースをゴム材質で重くしたスピーダーを利用して風の抵抗を少なく受けるようにしたのである。
【００１２】
しかし、このようなスピードミントンのスピーダーはシャトルコックより重くて関節に良くない影響を及ぼし、速度が早くて老弱者や子供には相応しくない。コート規格は５．５ｍの正四角形で、スクエア間の最短部の距離は１２．８ｍで、総２３．８ｍの空間が要求されるため室内空間の確保が難しいという問題点がある。
【００１３】
そこで、大韓民国公開特許１０−２００４−００２５５０７号には室内で競技が可能で、老弱者や子供に負担を与えないようにラケットの寸法を従来に比べて短くした技術が公開されている。これは従来のラケット材質をそのまま用いながら単純にラケットの長さだけ短くしたもので、明細書の詳細な説明で幅や直径などの材質に対する寸法変更に対する記載は見つかることができず、バドミントンシャトルコックに対する記載がないので従来のシャトルコックをそのまま使うものと判断される。
【００１４】
しかし、前述したように、従来のラケット材質をそのまま用いた場合、直径は同じであるが長さだけ短くなって弾性力と衝撃吸収力が減少される。これによって従来のラケットを用いた場合と同じ力で打撃しても飛行距離が大幅に短くなるので、従来のような飛行距離を得るためには多くの力が要求されて、子供や老弱者がするには適切でなく、シャトルコックと衝撃する時発生される衝撃力がそのままグリップを通じて使用者に伝わるため関節に無理を与える。また、シャフトで弾性力が発生しなくてシャトルコックがラケットに当たる時弾み現象が発生されて、精巧を要する狭い空間でのプレー、特にヘアピン、ドライブ、スマッシュ、リターンなどを正確にすることが難しく、スマッシュにパワーがなくて競技の興味を失うようになって、競技の普及及び拡散に諸問題があった。
【００１５】
一方、狭い室内空間でラケット競技を行うために最も重要なのはシャトルコックの飛行距離である。
【００１６】
しかし、前記のように、シャトルコックの飛行距離を減らすためには羽毛とベースの寸法及び重量を適正に調整することが重要であるが、従来にはこのように飛行距離を減らすための実施例は全く見つからない。
【００１７】
また、従来のバドミントンシャトルコックの寸法を単純に減らすだけでは所望の飛行距離を得ることが難しく、且つ安定的な飛行曲線を保持しにくい。
【００１８】
その例として、羽毛の寸法のみ従来のバドミントンシャトルコックに比べて小さく形成する場合、シャトルコックが飛行する時中心が崩れてシャトルコックが安定的に飛行することができなくなり、同時に、ベースに比べて相対的に羽毛の寸法が小さくなって空気の抵抗を少なく受けるため、シャトルコックの飛行距離が従来よりさらに長くなる問題点があった。また、羽毛の寸法はそのままにし、ベースのみ従来より小さい寸法で製作する場合には、重量が軽くなっただけ飛行距離が短くなるが、ベースに比べて羽毛の寸法があまりにも大きくなって、飛行中空気の抵抗をたくさん受けて飛行距離が短すぎるようになる問題点があった。
【発明の概要】
【発明が解決しようとする課題】
【００１９】
前述したような従来バドミントンなどを含むシャトルコックを使用するラケット競技の問題点を改善するために、本発明は、狭い室内空間でも十分な運動効果を得ながら競技をすることができ、且つ関節に無理を与えないようにし、シャトルコックの破損率も減少させることができるラケット競技セット及びその競技方法を提供することをその目的とする。
【課題を解決するための手段】
【００２０】
前記目的を達するための本発明の特徴は、ベースの直径は１６〜２３ｍｍ、ベースの垂直長さは１４〜２１ｍｍ、ベースの下部終端から羽毛の上部終端までの垂直長さは５０〜８０ｍｍ、羽毛の終端直径は４０〜６０ｍｍであり、羽毛は１０〜１４枚を使用し、重量は１．５〜３ｇであるシャトルコックと；全体長さ４３０〜４７０ｍｍ、全体幅は１５０〜１８５ｍｍ、ストリング部分の長さは２００〜２２５ｍｍの規格を有するラケットと；両側バックバウンダリーライン長さ５００〜１，０００ｃｍ、全体幅２５０〜５００ｃｍ、女子単式：男子単式及び複式のサイドライン幅の差３０〜４３ｃｍ、サーブラインは中心から１００〜１４０ｃｍであるコート；幅はコートの幅と同じで、上端部高さが１２０〜１５０ｃｍであるネット；及び前記ネットを設置するためのポスト；を含むラケット競技セットを提供することにある。
【００２１】
前記した構成でシャトルコックの飛行距離を多様に調節するためには、羽毛の寸法とベースの寸法の中で一つ以上を選択して前記範囲内で調整するか、シャトルコックのベースを構成するコルクの空隙率を異なるように重量を調整するか、ベースと羽毛との連結部位に接着剤の塗布回数を調整して重量を調整する。
【００２２】
このようなシャトルコックのベース空隙率の調整例として、天然コルクと人造コルクを合紙するか、空隙率の異なる他の人造コルクを合紙し、空隙率は所望のシャトルコックの重量によって選択して用いる。その例として、天然コルクと人造コルクを合紙する場合には、打撃点に天然コルクが位置するようにし、人造コルクを空隙率が異なるようにする場合には、打撃点には天然コルクと対応される空隙率を有する人造コルクを配置し、その上部に合紙される人造コルクは所望の重量によって適当な空隙率を有する人造コルクを選択して用いる。
【００２３】
そして、前記ポストはネットの高さを調節するために長さ調節可能に形成される。
【００２４】
本発明の他の特徴は、前記ラケットとシャトルコックはそのまま利用し、コートとネットは室内空間に適するように最小と最大寸法範囲内で全体幅と長さ及び高さを比例的に調整して設定し、サーブラインからバックバウンダリーラインの間の空間でシャトルコックをラケットで打って反対側バックバウンダリーライン内側にシャトルコックが落下された場合有効サービスと認め、飛行されたシャトルコックをラケットで打ってネットから相手の有効なバックバウンダリーラインとサイドライン内にシャトルコックが落下されるようにラケットで打つレシーブ行為を繰り返すラケット競技方法を他の特徴とする。
【００２５】
また、前記ラケット競技方法で前記サービスとレシーブの規定を違反する場合には相手が得点することをまた他の特徴とする。
【発明の効果】
【００２６】
前記のように構成された本発明による効果は以下の通りである。
【００２７】
第一、シャトルコックの飛行距離が従来のバドミントンを含むラケット競技に比べて相対的に短くなり、飛行高度も低くなるので、天井高さが３ｍ〜４ｍの一般的な建物の室内空間でもラケット競技を楽しむことができることから、気候條件や空間的制約なしにいつどこでもラケット競技を楽しむことができるようになって、ラケット競技の普及及び拡散に大きい効果を奏する。
【００２８】
これは、ラケットが短く構成され、シャトルコックが軽くなりながら、羽毛とベースの上部面との間の角度は羽毛が従来よりさらに広がるので、飛行中抵抗をたくさん受けて飛行速度が低下し、高度が低くなるからである。
【００２９】
第二、羽毛の数が減り、ベースの直径と全体大きさ及び全体重量が小さくなってシャトルコックが軽くなり、ラケットも従来に比べて寸法が大幅に減少されながら十分な弾性を有するので、打撃の時発生される衝撃が小さくなってテニスエルボーのような関節損傷を防止するようになる。また、ラケットが短くなってシャトルコックを当てることが容易になるので正確な腕動作や足動作にも気を使うことができるので、誤った腕動作と足動作によって関節を含む体に無理を与えることを防止することができるという効果を奏する。
【００３０】
さらに、前記のように荷重による負担が減少されるので、老弱者や子供など、老若男女誰もが競技を楽しむことができる。
【００３１】
第三、打撃の時ラケットがシャトルコックに弾性力を加えるのでシャトルコックに力が入って、飛行距離が単純に長さだけ短くしたラケットに比べて向上され、これによってスマッシュなどに過度な動作が要求されなくなり、正確なプレーをすることができて、競技が面白くなるので、老若男女誰でも十分な運動量を得ることができる。
【００３２】
さらに、コートが狭いだけ打撃で相手のレシーブ後再び打撃するまでの時間が短縮されるので動きが多くなり、寸法が小さくなったラケットとシャトルコックを用いて、早いスピードとパワフルな競技のためには、さらに強いアクションが必要となるので、運動量が多くて青壮年層のように多い運動量を要求する使用者にも適する。
【００３３】
第四、ラケットの長さが短くなりながらシャトルコックを打撃の時加えられる衝撃力が小さくなって、従来のラケットに比べてシャトルコックの破損率が大幅に減少され、シャトルコックは破損されると廃棄処分するが、本発明のラケットによれば、シャトルコックの廃棄率が大幅に減少されて資源節減の効果があり、同時にシャトルコックの購入に必要な費用も大幅に節減される効果がある。
【００３４】
第五、軽くて小さいラケットを使用するので、携帯が簡便で、いつどこでもラケットを利用したストレッチングや姿勢矯正などの運動が可能であり、ラケットを利用する従来のバドミントンやテニス及びスピードミントンのための姿勢練習も可能になる効果を奏する。
【図面の簡単な説明】
【００３５】
【図１】従来のラケットを示す図面である。
【図２】従来のシャトルコック斜視図である。
【図３】従来のコート規格を示す図面である。
【図４】本発明によるラケットを示す図面である。
【図５】本発明によるシャフト断面図である。
【図６】本発明によるシャトルコックの構造を示す図面である。
【図７】本発明によるネットの規格を示す図面である。
【図８】本発明によるコートの規格を示す図面である。
【図９】本発明によるポストの構造を示す図面である。
【図１０】従来ラケット競技セットと本発明のラケット競技セットを用いた場合シャトルコックの軌跡を示す図面である。
【発明を実施するための形態】
【００３６】
以下、本発明の実施形態を添付図面を参照してより詳しく説明する。
【００３７】
図４〜図９は本発明によるラケット競技セットを示す図面で、図１０は従来ラケット競技セットと本発明のラケット競技セットを用いた場合シャトルコックの軌跡を示す図面である。
【００３８】
本発明によるラケット競技セットは、大体ラケット１００、シャトルコック２００、ネット３００、コート４００及びポスト３１０で構成される。
【００３９】
前記でラケット１００は、図４に示すように、シャトルコック２００の距離を抑制するために、重量を５０ｇ〜７０ｇの範囲にし、全体長さは４３０〜４７０ｍｍ、全体幅は１５０〜１８５ｍｍ、ストリング部１１０の長さは２００〜２２５ｍｍ、グリップ１２０とシャフト１３０及びスロート１４０の寸法は総２３０ｍｍ〜２５５ｍｍの範囲で調整する。
【００４０】
また、シャフト１３０は、図５に示すように、直径が５〜７ｍｍで、断面厚さは０．５〜１．５ｍｍにする。
【００４１】
また、グリップ１２０の寸法は９０〜１６０ｍｍにする。これはグリップを握る時不便を感じないようにするとともに、グリップ寸法を最小化するためである。
【００４２】
また、ストリングの間隔は、一辺が０．６〜１．２ｃｍの四角形になるようにする。これは下記で説明するシャトルコックが寸法が減るだけあまり広がらないように形成して、打球の時シャトルコックがストリング間に挟まることが発生されないようにする。
【００４３】
シャトルコック２００は、図６に示すように、ベース２１０の直径は１６〜２３ｍｍ、ベース２１０の垂直長さは１４〜２１ｍｍ、ベース２１０の下部終端から羽毛２２０の上部終端までの垂直長さは５０〜８０ｍｍ、羽毛２２０の終端直径は４０〜６０ｍｍで、羽毛２２０は１０〜１４枚を用い、重量は１．５〜３ｇである。
【００４４】
前記で重量は羽毛の寸法とベースの寸法及びベースの重量の中で一つ以上を選択して前記重量の範囲内で調整して決める。主にベースの材質でシャトルコック全体の重量を決める。
【００４５】
ベースの材質で重量を決める構造は、ベースを製造する過程に、図６に示すように、ベースを構成するコルクを人造コルクと天然コルクを接着剤で接着して合紙したものを使用し、重量を調整するために人造コルクの発泡率を所望の重量によって異なるようにしてそれぞれ異なる空隙率を有するようにして、製作しようとする重量に適する空隙率を有する人造コルクを選択して使用する。
【００４６】
その例として、重量を大きくするためには人造コルクの空隙率が小さく発泡されたものを使用し、重量を小さくするためには人造コルクの空隙率が大きく発泡されたものを使用する。
【００４７】
この時、前記ベース２１０の下部終端、即ち、打撃点には天然コルクを配置することによって打球感が低下されないようにする。
【００４８】
また、前述したように、天然コルクと人造コルクを合紙した後、ベース２１０の形状に合わせて成型し、外周にウレタンコーティングをした原緞を外皮としてカバーしてベースの製造を完了する。
【００４９】
このように製造されたシャトルコックは、フルアンダーストロークで打撃の時、打撃点から着地点までの長さが７．５ｍを超えてはいけない。
【００５０】
他の実施形態として、空隙率の異なる人造コルクを合紙して用いる場合に、打撃点、即ち下部に位置される人造コルクは天然コルクと類似する空隙率を有するようにし、その上部に位置される人造コルクは所望の重量を有するように調整された空隙率を有する人造コルクを使用する。
【００５１】
同時に、前記コルクは二枚を合紙するか三枚以上を合紙して用いることもできる。
【００５２】
一方、空隙率を調整するだけで所望の重量に合わせることができない場合には、ベースと羽毛の連結部位、即ちベースの上部に接着剤の塗布回数を調整することもできる。その例としては、羽毛の寸法とベースの寸法及び空隙率を調整したが、所望の重量に若干達しない場合にはベースの上部面に接着剤を通常は一回塗布すれば良いが二度塗布することで足りない重量を補うことができる。
【００５３】
また、前記シャトルコックは前記ラケットを使って、フルアンダーストロークで打撃の時、打撃点から着地点までの長さが７．５ｍを超えてはいけない。
【００５４】
ネット３００は、図７に示すように、高さ１．２ｍ〜１．５ｍで、幅はコートの規格に対応し、ネットの網目は一辺が１〜１．８ｃｍの四角形になるようにする。
【００５５】
一方、前記ネット３００をコートの幅に合わせて使用するために、前記ネットは長さがそれぞれ異なるように形成する。（例として５００ｃｍ、６００ｃｍ、７００ｃｍ、１０００ｃｍなど）
【００５６】
また、コート４００は、図８に示すように、長さ両側バックバウンダリーライン４１０の間の距離が５〜１０ｍ、両側サイドライン４２０の幅が２．５〜５ｍで、ネットを中心にサービスライン４３０は１〜１．４ｍ、女子単式のためのサイドライン４２０ａは両側サイドラインから内側にそれぞれ０．３〜０．４３ｍ入った位置に位置される。
【００５７】
このようなコート４００は固定された床面に前記寸法によるラインをインクなどで塗布することもでき、単位体で形成されて互いに組み立てられて競技場の床面を形成するクッションを有する床材上に塗布された状態で製作されて組み立てられることもできる。
【００５８】
前記ポスト３１０はネットの高さを調節するために長さ調節可能に設置され、前記ポスト３１０は床に固定設置されることもでき、荷重を担当する部分が下部に具備されて移動可能に設置されることもできる。
【００５９】
その例としては、図９に示すように、ポストを内側管３１２と外側管３１４の二重管に形成して、内側管３１２及び外側管３１４に同じ間隔で複数の調節孔３１２ａ、３１４ａを穿孔し、下部には重量体３１６を備えて地面に立てた時移動しないようにする。このように形成されたポストは内側管３１２の位置を調整し、該位置で調節孔３１２ａ、３１４ａに固定手段３１８を挿入することによってネットの設置高さが調整される。
【００６０】
以外にもポストの高さ調節は多様な方法で実施可能であり、例としては、前記調節孔を外側管のみに形成して高さを調節した後、調節された高さでボルトを締め付けることによって位置を固定することもでき、ポストを複数に分割形成して設置しようとする高さに従ってポストを適正数にボルトなどの締結手段を用いて組立てることもできる。
【００６１】
以上のように構成されたラケット競技セットによれば、ラケットの長さが短くなってラケットとシャトルコックの打撃位置が体から近くなるので、ラケットでシャトルコックを当てることが容易になり、打撃位置が低いのでシャトルコックの飛行高さが低くなる。
【００６２】
同時に、シャトルコックはベースの大きさが大幅に減少され、羽毛の枚数が減少されて全体大きさが小さく、重量が従来に比べて大幅に減少されて、従来に比べて飛行高さが低くなり、飛行距離が短くなる。
【００６３】
このような走行距離及び高さを図１０を参照して説明する。図１０の点線はロングハイサービスの時の従来バドミントンラケットとシャトルコックの使用の時飛行軌跡を示し、実線は本発明のラケットとシャトルコックを用いたロングハイサービスの時のシャトルコックの飛行軌跡を示すもので、本発明の飛行軌跡が従来に比べて低く短いことが分かる。
【００６４】
これによって、本発明のシャトルコックとラケットを用いる場合、シャトルコックの飛行高さが低くなって飛行距離が短くなるので、室内で運動が可能であり、通常３〜４ｍの高さの室内で競技が可能である。
【００６５】
前記のように構成されたラケット競技セットを利用した競技方法を説明する。
【００６６】
前記ラケット競技セットを利用した競技方法は、前記ラケットはそのまま使用し、コートとネットは室内空間の大きさと運動目的に合わせて最小と最大寸法範囲内で全体ラインと高さを比例的に調整して設定し、設定されたコートに合わせてシャトルコックの重量を調整して使う。
【００６７】
このようなラケット競技方法は、サーブラインからバックバウンダリーラインの間の空間でシャトルコックをラケットで打って反対側のバックバウンダリーラインの内側にシャトルコックが落下された場合有効サービスと認め、飛行されたシャトルコックをラケットで打ってネットから相手の有効なバックバウンダリーラインとサイドライン内にシャトルコックが落下されるようにラケットで打つレシーブ行為を繰り返す。
【００６８】
また、前記ラケット競技方法で前記サービスとレシーブの規定を違反する場合には相手が得点する。
【００６９】
このようなラケット競技方法は、フルコート（Ｆｕｌｌ  Ｃｏｒｔ）競技とハーフコート（Ｈａｌｆ  Ｃｏｒｔ）運動に分けられ、フルコート競技の場合には、前記コートとネットの寸法で、最大寸法でコートを構成すればよく、ハーフコート運動の場合にはコートの寸法の中で、最小寸法のみでコートを構成すれば良い。
【００７０】
前記フルコート競技の例を説明する。
【００７１】
まず、男子複式の場合、コートは長さ１，０００ｃｍ、幅５００ｃｍにし、ネットから１，００ｃｍラインをサーブラインにし、ネット高さは１５０ｃｍにし、サービスはサーブラインから反対側バックバウンダリーラインまでを有効空間と認める。
【００７２】
また、男子単式と女子複式は前記男子複式と同じコートとネット寸法に有する。
【００７３】
一方、女子単式の場合、コートの長さは１，０００ｃｍにし、幅は男子複式に比べて両側終端から内側に４３ｃｍずつ入ったラインを使用し、サービス有効空間は前記男子複式と同じである。
【００７４】
一方、ハーフコート運動の場合には、用品（ラケット）を利用してストレッチングをした後シャトルコックを使ってサービスとレシーブを繰り返し、その後またストレッチングをする。まずフット・ワーク（ｆｏｏｔ  ｗｏｒｋ）を踊り（リズム）で作って十分なウオーミングアップをすることができるようにして、ゲームの時の負傷率を低下し、運動効果を増進させ、ゲーム後またラケットを利用して仕上げストレッチングを行う。
【００７５】
以下でこのような本発明によるラケット競技方法で使用される規定の例をより具体的に説明する。
【００７６】
１．競技者
【００７７】
本発明のラケット競技方法は、男女子単式と複式、混合複式に分けられ、単式は両側各一人ずつ、複式は両側各二人が一組になって競技をする。
【００７８】
２．トス
【００７９】
競技を始まる前、両側がトスをして勝った方が初サーブ権、またはコート選択権の中で一つを選択し、負けた方は残りを選択する。
【００８０】
３．スコア
【００８１】
（１）３ゲーム（２ゲーム先取の時勝つ）を原則にし、一ゲーム２１点（初等部は１７点）を先取した方が勝つ。
【００８２】
（２）該ラリーで勝った方が得点する。（即ち、サーブ権がない方も得点可能である）
【００８３】
（３）２１点ゲームの場合、２０：２０の同点である場合、２点を連続して得点した方が勝ち、３０：３０の場合、３１点に先に到逹した方が勝つ。
【００８４】
４．コート変更
【００８５】
一ゲーム目終了後と三ゲーム目の開始前、また三ゲーム目をする場合、２１点ゲームの場合１１点先取の時コートを変更し、３１点ゲームの場合１６点先取の時コートを変更する。
【００８６】
５．サービス
【００８７】
正しいサービスを説明する。
【００８８】
−サーバーとレシーバーは両側サービスコートの中で対角線に立たなければならない。
【００８９】
−シャトルコックはサーバーの腰より下でなければならない。
【００９０】
−シャトルコックはレシーバーのコートの中に落ちなければならない。
【００９１】
−シャトルコックを打つ瞬間ラケットの全体ヘッド部分がサーバーの手全体部分より確実に識別できるように下に位置しなければならない。
【００９２】
６．単式競技方式
【００９３】
（１）サーバーがポイントを得られなかったり、点数が偶数である場合は右側で、点数が奇数である場合は左側でサービスをする。
【００９４】
（２）レシーバーはサーバーの対角線位置のコートでレシーブする。
【００９５】
７．複式競技方式
【００９６】
（１）サービス及びレシーブ
【００９７】
ｉ．サーバーがポイントを得られなかったり、点数が偶数である場合は右側で、点数が奇数である場合は左側でサービスをする。
【００９８】
ｉｉ．サーバーからサービスコートの対角線位置に立っている選手がレシーバーになる。
【００９９】
ｉｉｉ．レシーバーの側の選手は該選手側がサービスして点数を得る前まで互いにコート位置を変えない。
【０１００】
（２）スコアリング（Ｓｃｏｒｉｎｇ）及びサービス権限
【０１０１】
ｉ．レシーブ側がフォルトを犯すか凡失によって中断される場合サービス側は点数を獲得し、サーバーはまたサービスをする。
【０１０２】
ｉｉ．サービス側がフォルトを犯すか凡失によって中断される場合レシーブした側が得点し、レシーバー側がサーバーになる。（一側に一回のサービス権限を付与）
【０１０３】
（３）サービング（Ｓｅｒｖｉｎｇ）
【０１０４】
−どんなゲームでもサービス権限は以下のように連続的に行う。
【０１０５】
ｉ．右側サービスコートから競技を始めた最初のサーバーから
【０１０６】
ｉｉ．最初のレシーバーのパートナーへ。この時サービスは左側サービスコートから始まる
【０１０７】
ｉｉｉ．先にサービスした側の対応する点数に符合するコートに位置した選手へ
【０１０８】
ｉｖ．先にレシーブした側の該点数に符合するコートに位置した選手へ、というように続く。
【０１０９】
８．反則（フォルト）
【０１１０】
次の場合は反則である。
【０１１１】
−サービスが正しくない場合
【０１１２】
−サーバーがサービスする途中シャトルコックを打てなくて空振りした場合
【０１１３】
−競技中、シャトルコックがコートの外に落ちたり、ネット及び／またはネットを通り抜けた場合
【０１１４】
−選手のラケットまたはネット以外の他の所にシャトルコックが触れた場合
【０１１５】
−シャトルコックがネットを越えて来る前に、ネットを越してシャトルコックを打ったり空振りをした場合。ただ、シャトルコックがネットを越えて来た場合シャトルコックを打って相手側のコートに落ちる場合は許容される。
【０１１６】
−ラケットや選手の体がネットに触れた場合
【０１１７】
−シャトルコックを続けて二回以上打った場合
【０１１８】
９．レット（競技中断及び無効）
【０１１９】
−レットが宣言される場合、直前にサービスした選手のサーブ権はそのまま有効で、その選手が再びサービスする。
【０１２０】
−レットは予測していない偶発的な事故及び行動が発生して競技が中断される時宣言される。即ち、レシーバーが準備されていない状況でサービスしたり、競技中他のコートからシャトルコックが入って競技を邪魔する場合などがある。
【０１２１】
１０．競技の継続規則
【０１２２】
−各ゲーム中に一側が１１点（初等部−９点）に先に到逹する場合６０秒を超えないインターバルを認める。
【０１２３】
−第１ゲームと第２ゲームの間、第２ゲームと第３ゲームの間に１２０秒を超えないインターバルを認める。
【０１２４】
１１．アドバイス（指導）及びコートからの離脱
【０１２５】
−試合中でない場合のみに選手は競技中アドバイスを受けることができる。
【０１２６】
−競技終了時まで競技者は審判の同意なしにコートを離れてはならない。
【０１２７】
１２．ラリーポイント
【０１２８】
ラリーに勝つ度に点数を得る得点制である。レシーブしたチームがラリーに勝った場合サーブ権のみ得るのではなく、ただ一回の攻撃と凡失でも点数が出るようにする方式である。即ち、サーブをしたりレシーブした方がラリーに勝つ度に一点を得てサーブ権を得、またラリーに負けると失点とともにサーブ権も相手に移るので競技が緊張感が溢れる。
【０１２９】
一方、前記のようにフルコートとハーフコートを区分した理由を説明すると、フルコートの場合、スピーディで緊張感に溢れ、活動範囲がハーフコートに比べて広くて若者が楽しむのに適し、ハーフコートは活動範囲はフルコートに比べて相対的に狭いが、相手との距離が近くてプレーが速く、軽いステップでプレーすることができて運動量は多いが関節に無理を与えないので、老弱者や姿勢を正しくするための練習あるいは校正用に適する。
【０１３０】
また、前記フルコートとハーフコートの競技外に室内空間の大きさに合わせてコートとネットの大きさを最小と最大範囲内で比例的に調整して競技することもでき、この場合、シャトルコックの重量をコートの寸法に合わせて調整して使うことができる。
【符号の説明】
【０１３１】
１１０  ストリング部
１２０  グリップ
２１０  ベース
２２０  羽毛
【図１】
2012533394.tif 000003
【図２】
2012533394.tif 000004
【図３】
2012533394.tif 000005
【図４】
2012533394.tif 000006
【図５】
2012533394.tif 000007
【図６】
2012533394.tif 000008
【図７】
2012533394.tif 000009
【図８】
2012533394.tif 000010
【図９】
2012533394.tif 000011
【図１０】
2012533394.tif 000012
【国際調査報告】
2012533394.tif 000013
2012533394.tif 000014
2012533394.tif 000015
2012533394.tif 000016